(57)【要約】  本願はデータ伝送方法、端末デバイス及びネットワークデバイスを開示し、当該方法は、端末デバイスが端末デバイスのデータ伝送をスケジューリングするための第１の制御情報を受信することと、端末デバイスが端末デバイスの伝送情報及び第１のマッピング関係に基づいて当該伝送情報に対応する少なくとも１つの伝送周波数帯域を確定することと、端末デバイスが当該少なくとも１つの伝送周波数帯域から対象伝送周波数帯域を確定することと、端末デバイスが第１の制御情報に基づいて対象伝送周波数帯域においてデータ伝送を行うこととを含み、第１のマッピング関係は、複数の伝送情報と複数の伝送周波数帯域との対応関係を含み、伝送情報は、第１の制御情報の属性、データ伝送のためのリソースタイプ情報、及び端末デバイスの業務情報のうちの少なくとも１つを含む。そして、システム帯域幅の中の全ての伝送周波数帯域を指示することなく、各伝送周波数帯域に対応する少なくとも１つの伝送帯域を指示するだけでよく、下り制御情報のシグナリングオーバーヘッドが低減される。
2020532886.tif 000002
【特許請求の範囲】
【請求項１】
端末デバイスがネットワークデバイスにより送信された第１の制御情報を受信することと、
前記端末デバイスが前記端末デバイスの伝送情報及び第１のマッピング関係に基づいて、前記伝送情報に対する少なくとも１つの伝送周波数帯域を確定することと、
前記端末デバイスが前記少なくとも１つの伝送周波数帯域において対象伝送周波数帯域を確定することと、
前記端末デバイスが前記第１の制御情報に基づいて、前記対象伝送周波数帯域において前記ネットワークデバイスとデータ伝送を行うこととを含み、
前記第１の制御情報は、前記端末デバイスが前記データ伝送を行うようにスケジューリングするために用いられ、
前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含む
ことを特徴とするデータ伝送方法。
【請求項２】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記端末デバイスが前記少なくとも１つの伝送周波数帯域において対象伝送周波数帯域を確定することは、
前記端末デバイスが前記対象伝送周波数帯域の周波数帯域情報及び前記第１のマッピング関係に基づいて、前記対象伝送周波数帯域を前記少なくとも１つの伝送周波数帯域のうちの前記周波数帯域情報に対応する伝送周波数帯域として確定することを含む
ことを特徴とする請求項１に記載のデータ伝送方法。
【請求項３】
前記端末デバイスが前記端末デバイスの伝送情報及び第１のマッピング関係に基づいて、前記伝送情報に対する少なくとも１つの伝送周波数帯域を確定する前に、前記方法は、さらに、
前記端末デバイスが前記ネットワークデバイスにより送信された第２の制御情報を受信することを含み、前記第２の制御情報は、前記第１のマッピング関係を含む
ことを特徴とする請求項１又は２に記載のデータ伝送方法。
【請求項４】
前記第１の制御情報は、下り制御情報ＤＣＩ又はメディアアクセス制御要素ＭＡＣ  ＣＥを含む
ことを特徴とする請求項１〜３のいずれか１項に記載のデータ伝送方法。
【請求項５】
前記第２の制御情報は、無線リソース制御ＲＲＣシグナリング又はシステム情報を含む
ことを特徴とする請求項１〜４のいずれか１項に記載のデータ伝送方法。
【請求項６】
前記第１の制御情報はＤＣＩであり、前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項１〜５のいずれか１項に記載のデータ伝送方法。
【請求項７】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項１〜６のいずれか１項に記載のデータ伝送方法。
【請求項８】
前記端末デバイスの業務情報は、
前記端末デバイスの業務タイプ情報、前記端末デバイスのサービス品質情報及び前記端末デバイスの業務品質情報のうちの少なくとも１つを含む
ことを特徴とする請求項１〜７のいずれか１項に記載のデータ伝送方法。
【請求項９】
前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる
ことを特徴とする請求項１〜８のいずれか１項に記載のデータ伝送方法。
【請求項１０】
ネットワークデバイスが端末デバイスの伝送情報及び第１のマッピング関係に基づいて、前記伝送情報に対応する少なくとも１つの伝送周波数帯域を確定することと、
前記ネットワークデバイスが前記少なくとも１つの伝送周波数帯域において対象伝送周波数帯域を確定することと、
前記ネットワークデバイスが前記端末デバイスに第１の制御情報を送信することと、
前記ネットワークデバイスが前記対象伝送周波数帯域において前記端末デバイスと前記データ伝送を行うこととを含み、
前記第１のマッピング関係は、複数の伝送情報と複数の伝送周波数帯域との対応関係を含み、前記伝送情報は、前記端末デバイスがデータ伝送を行うようにスケジューリングするための前記第１の制御情報の属性、前記データ伝送のためのリソースタイプ情報、及び前記端末デバイスの業務情報のうちの少なくとも１つを含む、
ことを特徴とするデータ伝送方法。
【請求項１１】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記ネットワークデバイスが前記端末デバイスに前記第１の制御情報を送信する前に、前記方法は、さらに、
前記ネットワークデバイスが前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定することを含む
ことを特徴とする請求項１０に記載のデータ伝送方法。
【請求項１２】
前記ネットワークデバイスが前記対象伝送周波数帯域において前記端末デバイスと前記データ伝送を行う前に、前記方法は、さらに、
前記ネットワークデバイスが前記端末デバイスに第２の制御情報を送信することを含み、前記第２の制御情報は、前記第１のマッピング関係を含む
ことを特徴とする請求項１０又は１１に記載のデータ伝送方法。
【請求項１３】
前記第１の制御情報は、下り制御情報ＤＣＩ又はメディアアクセス制御要素ＭＡＣ  ＣＥを含む
ことを特徴とする請求項１０〜１２のいずれか１項に記載のデータ伝送方法。
【請求項１４】
前記第２の制御情報は、無線リソース制御ＲＲＣシグナリング又はシステム情報を含む
ことを特徴とする請求項１０〜１３のいずれか１項に記載のデータ伝送方法。
【請求項１５】
前記第１の制御情報はＤＣＩであり、前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項１０〜１４のいずれか１項に記載のデータ伝送方法。
【請求項１６】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項１０〜１５のいずれか１項に記載のデータ伝送方法。
【請求項１７】
前記端末デバイスの業務情報は、
前記端末デバイスの業務タイプ情報、前記端末デバイスのサービス品質情報及び前記端末デバイスの業務品質情報のうちの少なくとも１つを含む
ことを特徴とする請求項１０〜１６のいずれか１項に記載のデータ伝送方法。
【請求項１８】
前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる
ことを特徴とする請求項１０〜１７のいずれか１項に記載のデータ伝送方法。
【請求項１９】
ネットワークデバイスにより送信された第１の制御情報を受信するように構成される送受信ユニットと、
前記端末デバイスの伝送情報及び第１のマッピング関係に基づいて、前記伝送情報に対応する少なくとも１つの伝送周波数帯域を確定するように構成される確定ユニットとを含み、
前記第１の制御情報は、前記端末デバイスがデータ伝送を行うようにスケジューリングするために用いられ、
前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含み、
前記確定ユニットは、さらに、前記少なくとも１つの伝送周波数帯域から、対象伝送周波数帯域を確定するように構成され、
前記送受信ユニットは、さらに、前記第１の制御情報に基づいて、前記対象伝送周波数帯域において、前記ネットワークデバイスと前記データ伝送を行うように構成される
ことを特徴とする端末デバイス。
【請求項２０】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記確定ユニットは、
前記対象伝送周波数帯域の周波数帯域情報及び前記第１のマッピング関係に基づいて、前記対象伝送周波数帯域を、前記少なくとも１つの伝送周波数帯域のうちの前記周波数帯域情報に対応する伝送周波数帯域として確定するように構成される
ことを特徴とする請求項１９に記載の端末デバイス。
【請求項２１】
前記送受信ユニットは、さらに、
前記ネットワークデバイスにより送信された第２の制御情報を受信するように構成され、
前記第２の制御情報は、前記第１のマッピング関係を含む
ことを特徴とする請求項１９又は２０に記載の端末デバイス。
【請求項２２】
前記第１の制御情報は、下り制御情報ＤＣＩ又はメディアアクセス制御要素ＭＡＣ  ＣＥを含む
ことを特徴とする請求項１９〜２１のいずれか１項に記載の端末デバイス。
【請求項２３】
前記第２の制御情報は、無線リソース制御ＲＲＣシグナリング又はシステム情報を含む
ことを特徴とする請求項１９〜２２のいずれか１項に記載の端末デバイス。
【請求項２４】
前記第１の制御情報はＤＣＩであり、
前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項１９〜２３のいずれか１項に記載の端末デバイス。
【請求項２５】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項１９〜２４のいずれか１項に記載の端末デバイス。
【請求項２６】
前記端末デバイスの業務情報は、
前記端末デバイスの業務タイプ情報、前記端末デバイスのサービス品質情報及び前記端末デバイスの業務品質情報のうちの少なくとも１つを含む
ことを特徴とする請求項１９〜２５のいずれか１項に記載の端末デバイス。
【請求項２７】
前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる
ことを特徴とする請求項１９〜２６のいずれか１項に記載の端末デバイス。
【請求項２８】
確定ユニット及び送受信ユニットを含むネットワークデバイスであって、
確定ユニットは、端末デバイスの伝送情報及び第１のマッピング関係に基づいて、前記伝送情報に対応する少なくとも１つの伝送周波数帯域を確定するように構成され、
前記第１のマッピング関係は、複数の伝送情報と複数の伝送周波数帯域との対応関係を含み、前記伝送情報は、前記端末デバイスがデータ伝送を行うようにスケジューリングするための第１の制御情報の属性、前記データ伝送のためのリソースタイプ情報、及び前記端末デバイスの業務情報のうちの少なくとも１つを含み、
前記確定ユニットは、さらに、前記少なくとも１つの伝送周波数帯域において対象伝送周波数帯域を確定するように構成され、
前記送受信ユニットは、前記端末デバイスに前記第１の制御情報を送信するように構成され、
前記送受信ユニットは、さらに、前記対象伝送周波数帯域において、前記端末デバイスと前記データ伝送を行うように構成される
ことを特徴とするネットワークデバイス。
【請求項２９】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記確定ユニットは、さらに、
前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定するように構成される
ことを特徴とする請求項２８に記載のネットワークデバイス。
【請求項３０】
前記送受信ユニットは、さらに、
前記端末デバイスに第２の制御情報を送信するように構成され、前記第２の制御情報は、前記第１のマッピング関係を含む
ことを特徴とする請求項２８又は２９に記載のネットワークデバイス。
【請求項３１】
前記第１の制御情報は、下り制御情報ＤＣＩ又はメディアアクセス制御要素ＭＡＣ  ＣＥを含む
ことを特徴とする請求項２８〜３０のいずれか１項に記載のネットワークデバイス。
【請求項３２】
前記第２の制御情報は、無線リソース制御ＲＲＣシグナリング又はシステム情報を含む
ことを特徴とする請求項２８〜３１のいずれか１項に記載のネットワークデバイス。
【請求項３３】
前記第１の制御情報はＤＣＩであり、前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項２８〜３２のいずれか１項に記載のネットワークデバイス。
【請求項３４】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項２８〜３３のいずれか１項に記載のネットワークデバイス。
【請求項３５】
前記端末デバイスの業務情報は、
前記端末デバイスの業務タイプ情報、前記端末デバイスのサービス品質情報及び前記端末デバイスの業務品質情報のうちの少なくとも１つを含む
ことを特徴とする請求項２８〜３４のいずれか１項に記載のネットワークデバイス。
【請求項３６】
前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる
ことを特徴とする請求項２８〜３５のいずれか１項に記載のネットワークデバイス。
【発明の詳細な説明】
【技術分野】
【０００１】
本願の実施例は、無線通信分野に関し、具体的に、データ伝送方法、端末デバイス及びネットワークデバイスに関する。
【背景技術】
【０００２】
ロングタームエボリューション( Ｌｏｎｇ Ｔｅｒｍ Ｅｖｏｌｕｔｉｏｎ：ＬＴＥ )システムでは、伝送データの周波数領域リソースは、システム帯域幅全体にわたって割り当てられる。５ＧのＮＲ( Ｎｅｗ Ｒａｄｉｏ)システムでは、システム帯域幅が大幅に増加するので、端末デバイスの伝送周波数帯域幅は、システム帯域幅の一部しか占有されない可能性があり、例えば、ネットワークは、システム帯域幅を複数の周波数帯域に分割し、つまりＢＷＰ(Ｂａｎｄｗｉｄｔｈ Ｐａｒｔと呼ばれ、制御シグナリングを介して、その伝送データのためのＢＷＰを端末デバイスに示す。しかし、システム帯域幅に多くのＢＷＰが含まれる場合、あるＢＷＰを指示する制御シグナリングのオーバーヘッドが大きくなるため、ＢＷＰを指示しながら制御シグナリングオーバーヘッドを低減することは、解決しようとする課題となる。
【発明の概要】
【０００３】
本願の実施例は、大きなシグナリングオーバーヘッドを招くことなく、データ伝送に用いる伝送周波数帯域を効率的に指示することができるデータ伝送方法、端末デバイス及びネットワークデバイスを提供する。
【０００４】
第１の形態は、データ伝送方法を提供し、端末デバイスがネットワークデバイスにより送信された第１の制御情報を受信することと、前記端末デバイスが前記端末デバイスの伝送情報及び第１のマッピング関係に基づいて、前記伝送情報に対する少なくとも１つの伝送周波数帯域を確定することと、前記端末デバイスが前記少なくとも１つの伝送周波数帯域において対象伝送周波数帯域を確定することと、前記端末デバイスが前記第１の制御情報に基づいて、前記対象伝送周波数帯域において前記ネットワークデバイスと前記データ伝送を行うこととを含み、前記第１の制御情報は、前記端末デバイスがデータ伝送を行うようにスケジューリングするために用いられ、前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含む。
【０００５】
したがって、本発明の実施例に係る方法によれば、端末デバイスは、その伝送情報から当該伝送情報に対応する少なくとも一つの伝送周波数帯域を確定し、当該少なくとも一つの伝送周波数帯域の中でデータ伝送のための伝送周波数帯域を確定することができ、ネットワークデバイスは、伝送情報毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【０００６】
一実現可能な方式において、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記端末デバイスが前記少なくとも１つの伝送周波数帯域において対象伝送周波数帯域を確定することは、前記端末デバイスが前記対象伝送周波数帯域の周波数帯域情報及び前記第１のマッピング関係に基づいて、前記対象伝送周波数帯域を前記少なくとも１つの伝送周波数帯域のうちの前記周波数帯域情報に対応する伝送周波数帯域として確定することを含む。
【０００７】
一実現可能な方式において、前記端末デバイスが前記端末デバイスの伝送情報及び第１のマッピング関係に基づいて、前記伝送情報に対する少なくとも１つの伝送周波数帯域を確定する前に、前記方法は、さらに、前記端末デバイスが前記ネットワークデバイスにより送信された第２の制御情報を受信することを含み、前記第２の制御情報は、前記第１のマッピング関係を含む。
【０００８】
一実現可能な方式において、前記第１の制御情報は、下り制御情報ＤＣＩ又はメディアアクセス制御要素ＭＡＣ  ＣＥを含む。
【０００９】
一実現可能な方式において、前記第２の制御情報は、無線リソース制御ＲＲＣシグナリング又はシステム情報を含む。
【００１０】
一実現可能な方式において、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【００１１】
一実現可能な方式において、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【００１２】
一実現可能な方式において、前記端末デバイスの業務情報は、前記端末デバイスの業務タイプ情報、前記端末デバイスのサービス品質情報及び前記端末デバイスの業務品質情報のうちの少なくとも１つを含む。
【００１３】
一実現可能な方式において、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【００１４】
第２の形態は、データ伝送方法を提供し、ネットワークデバイスが端末デバイスの伝送情報及び第１のマッピング関係に基づいて、前記伝送情報に対応する少なくとも１つの伝送周波数帯域を確定することと、前記ネットワークデバイスが前記少なくとも１つの伝送周波数帯域において対象伝送周波数帯域を確定することと、前記ネットワークデバイスが前記端末デバイスに前記第１の制御情報を送信することと、前記ネットワークデバイスが前記対象伝送周波数帯域において前記端末デバイスと前記データ伝送を行うこととを含み、前記第１のマッピング関係は、複数の伝送情報と複数の伝送周波数帯域との対応関係を含み、前記伝送情報は、前記端末デバイスがデータ伝送を行うようにスケジューリングするための第１の制御情報の属性、前記データ伝送のためのリソースタイプ情報、及び前記端末デバイスの業務情報のうちの少なくとも１つを含む。
【００１５】
したがって、本発明の実施例に係る方法によれば、ネットワークデバイスは、端末デバイスの伝送情報に基づいて当該伝送情報に対応する少なくとも１つの伝送周波数帯域を確定し、当該少なくとも１つの伝送周波数帯域において当該端末デバイスにデータ伝送を行うための伝送周波数帯域を選択し、ネットワークデバイスは、伝送周波数帯域毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【００１６】
一実現可能な方式において、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記ネットワークデバイスが前記端末デバイスに前記第１の制御情報を送信する前に、前記方法は、さらに、前記ネットワークデバイスが前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定することを含む。
【００１７】
一実現可能な方式において、前記ネットワークデバイスが前記対象伝送周波数帯域において前記端末デバイスと前記データ伝送を行う前に、前記方法は、さらに、前記ネットワークデバイスが前記端末デバイスに第２の制御情報を送信することを含み、前記第２の制御情報は、前記第１のマッピング関係を含む。
【００１８】
一実現可能な方式において、前記第１の制御情報は、下り制御情報ＤＣＩ又はメディアアクセス制御要素ＭＡＣ  ＣＥを含む。
【００１９】
一実現可能な方式において、前記第２の制御情報は、無線リソース制御ＲＲＣシグナリング又はシステム情報を含む。
【００２０】
一実現可能な方式において、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【００２１】
一実現可能な方式において、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【００２２】
一実現可能な方式において、前記端末デバイスの業務情報は、前記端末デバイスの業務タイプ情報、前記端末デバイスのサービス品質情報及び前記端末デバイスの業務品質情報のうちの少なくとも１つを含む。
【００２３】
一実現可能な方式において、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【００２４】
第３の形態は、上記第１の形態又は第１の形態の任意の実現形態における端末デバイスの動作を実行することができる端末デバイスを提供する。具体的には、端末デバイスは、上記の第１の形態又は第１の形態の任意の可能な実現形態における端末デバイスの動作を実行するためのモジュールユニットを含み得る。
【００２５】
第４の形態は、上記第２の形態又は第２の形態の任意の実現形態におけるネットワークデバイスの動作を実行することができるネットワークデバイスを提供する。具体的には、ネットワークデバイスは、上記の第２の形態又は第２の形態の任意の可能な実現形態におけるネットワークデバイスの動作を実行するためのモジュールユニットを含み得る。
【００２６】
第５の形態は、プロセッサと、送受信機と、メモリとを具備する端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の形態または第１の形態の任意の可能な実現形態における方法を実行させるか、または、この実行は、端末デバイスに、第３の態様で提供される端末デバイスを実現させる。
【００２７】
第６の形態は、プロセッサと、送受信機と、メモリとを具備するネットワークデバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第２の形態または第２の形態の任意の可能な実現形態における方法を実行させるか、または、この実行は、ネットワークデバイスに、第４の態様で提供されるネットワークデバイスを実現させる。
【００２８】
第７の形態は、上記第１の形態、及びその様々な実施例のいずれかのデータ伝送方法を端末デバイスに実行させるためのプログラムを記憶したコンピュータ可読記憶媒体を提供する。
【００２９】
第８の形態は、上記第２の形態、及びその様々な実施例のいずれかのデータ伝送方法をネットワークデバイスに実行させるためのプログラムを記憶したコンピュータ可読記憶媒体を提供する。
【００３０】
第９の形態は、入力インターフェースと、出力インターフェースと、プロセッサと、メモリとを含み、プロセッサは、メモリに記憶された命令を実行し、命令が実行されると、プロセッサは、第１の形態または第１の形態の任意の可能な実現形態における方法を実装し得る、システムチップを提供する。
【００３１】
第１０の形態は、入力インターフェースと、出力インターフェースと、プロセッサと、メモリとを含み、プロセッサは、メモリに記憶された命令を実行し、命令が実行されると、プロセッサは、第２の形態または第２の形態の任意の可能な実現形態における方法を実装し得る、システムチップを提供する。
【００３２】
第１１の態様は、命令を含むコンピュータプログラム製品を提供し、コンピュータプログラム製品がコンピュータ上で実行されると、コンピュータに、第１の形態または第１の形態の任意の可能な実現形態における方法を実行させる。
【００３３】
第１２の態様は、命令を含むコンピュータプログラム製品を提供し、コンピュータプログラム製品がコンピュータ上で実行されると、コンピュータに、第２の形態または第２の形態の任意の可能な実現形態における方法を実行させる。
【図面の簡単な説明】
【００３４】
【図１】本願の実施例における応用シーンの概略構成図である。
【図２】本願の実施例におけるデータ伝送方法のフローチャートである。
【図３】本願の他の実施例におけるデータ伝送方法のフローチャートである。
【図４】本願の実施例における端末デバイスのブロック図である。
【図５】本願の実施例におけるネットワークデバイスのブロック図である。
【図６】本願の実施例における端末デバイスの構成図である。
【図７】本願の実施例におけるネットワークデバイスの構成図である。
【図８】本願の実施例におけるシステムチップの構成図である。
【発明を実施するための形態】
【００３５】
以下、本発明の実施例について図面を参照して説明する。
【００３６】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００３７】
本願は、端末デバイスに関連して様々な実施例を説明している。端末デバイスは、ユーザ装置(Ｕｓｅｒ Ｅｑｕｉｐｍｅｎｔ、ＵＥ )、アクセス端末、ユーザ機器、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来の陸上公衆移動通信ネットワーク( Ｐｕｂｌｉｃ Ｌａｎｄ Ｍｏｂｉｌｅ Ｎｅｔｗｏｒｋ、ＰＬＭＮ )ネットワークにおける端末デバイスなどであり得る。
【００３８】
本願は、ネットワークデバイスに関連して様々な実施例を説明する。ネットワークデバイスは、端末デバイスと通信するためのデバイスであってもよく、例えば、ＧＳＭシステムまたはＣＤＭＡ ( Ｂａｓｅ Ｔｒａｎｓｃｅｉｖｅｒ Ｓｔａｔｉｏｎ、ＢＴＳ )における基地局であってもよく、ＷＣＤＭＡシステムにおける基地局( ＮｏｄｅＢ、ＮＢ )であってもよく、ＬＴＥシステムにおける発展型基地局( Ｅｖｏｌｕｔｉｏｎａｌ Ｎｏｄｅ Ｂ、ｅＮＢ又はｅＮｏｄｅＢ )であってもよく、または、中継局、アクセスポイント、車載装置、ウェアラブル装置、および将来の５Ｇネットワークにおけるネットワーク側装置または将来の発展型ＰＬＭＮネットワークにおけるネットワーク側装置などであってもよい。
【００３９】
図１は、本発明の実施例の応用シーンの概略図である。図１の通信システムは、ネットワークデバイス１０と端末デバイス２０とを含みうる。ネットワークデバイス１０は、端末デバイス２０に通信サービスを提供し、コアネットワークにアクセスするための装置であり、ネットワークデバイス１０から送信される同期信号やブロードキャスト信号等を検索することにより、端末デバイス２０がネットワークにアクセスし、ネットワークとの通信を行うことができる。図１に示される矢印は、端末デバイス２０とネットワークデバイス１０との間のセルラーリンクを介した上り/下りの送信を表すことができる。
【００４０】
本願の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ２Ｄ )ネットワークまたはＭ２Ｍ( Ｍａｃｈｉｎｅ ｔｏ Ｍａｃｈｉｎｅ / Ｍａｎ)ネットワークまたは他のネットワークを指すことができ、図１は、単なる例示的な簡略図であり、ネットワークには、他の端末デバイスも含まれてよく、図１には示されていない。
【００４１】
図２は本願の実施例におけるデータ伝送方法のフローチャートである。図２に示す方法が、端末デバイスにより実行され、当該端末デバイスは、例えば図１に示す端末デバイス２０であってもよい。図２に示すように、当該データ伝送方法は２１０〜２４０を含む
２１０において、端末デバイスがネットワークデバイスにより送信された第１の制御情報を受信する。
【００４２】
ここで、当該第１の制御情報は、当該端末デバイスがデータ伝送を行うようにスケジューリングする。
【００４３】
選択可能で、当該第１の制御情報は、下り制御情報（Ｄｏｗｎｌｏａｄ Ｃｏｎｔｒｏｌ Ｉｎｆｏｒｍａｔｉｏｎ、ＤＣＩ）又はメディアアクセス制御（Ｍｅｄｉａ Ａｃｃｅｓｓ Ｃｏｎｔｒｏｌ、ＭＡＣ）制御要素（Ｃｏｎｔｒｏｌ Ｅｌｅｍｅｎｔ、ＣＥ）を含む。
【００４４】
２２０において、端末デバイスは、当該端末デバイスの伝送情報及び第１のマッピング関係に基づいて、当該伝送情報に対応する少なくとも１つの伝送周波数帯域を確定する。
【００４５】
ここで、当該第１のマッピング関係は、複数の伝送情報と複数の伝送周波数帯域との対応関係を含む。
【００４６】
ここで、異なる伝送周波数帯域は、異なる帯域幅サイズを有し、及び/又は異なる周波数領域位置を占有し得、異なる周波数帯域上でデータ伝送のための基本パラメータセット、例えばサブキャリア間隔等は、異なり得る。この伝送周波数帯域は、帯域幅構成又は帯域幅セグメンテーション( Ｂａｎｄ Ｗｉｄｔｈ Ｐａｒｔ、ＢＷＰ )構成とも称され得、システム帯域幅は、複数の伝送周波数帯域、すなわち複数のＢＷＰを含み、各ＢＷＰは、異なるＢＷＰを識別するために、対応するＢＷＰ番号を有し得る。
【００４７】
ここで、当該伝送情報は、当該第１の制御情報の属性、当該データ伝送のためのリソースタイプ情報、及び当該端末デバイスの業務情報のうちの少なくとも１つを含む。
【００４８】
選択可能で、当該伝送情報は、当該第１の制御情報の属性であってもよく、例えば、第１の制御情報がＤＣＩである場合、当該伝送情報がＤＣＩのＤＣＩフォーマット（ＤＣＩ Ｆｏｒｍａｔ）、当該ＤＣＩのサイズ（ＤＣＩ ｓｉｚｅ）、又は当該ＤＣＩが上りデータ又は下りデータをスケジューリングすることを示す情報である。
【００４９】
選択可能で、当該伝送情報は、当該データ伝送のためのリソースタイプ情報であってもよく、例えば、当該第１の制御情報が共通リソース又は端末デバイスの専有リソースをスケジューリングすることを示す情報、当該第１の制御情報が連続リソース又は非連続リソースをスケジューリングすることを示す情報、又はリソーススケジューリング単位である。
【００５０】
すなわち、第１の制御情報がスケジューリングするリソースは、共通リソースであるか、排他リソースであるか、連続性に応じて分け、スケジューリング対象の粒度に応じて分け、分け結果の違いに応じて異なる種類のリソースにそれぞれ対応する伝送周波数帯域を確定することができる。
【００５１】
ここで、当該共通リソース（ＵＥ−ｇｒｏｕｐ−ｃｏｍｍｏｎ）は、当該端末デバイスを含む複数の端末デバイスが共通に使用する伝送リソースであり、当該専有リソース（ＵＥ−ｓｐｅｃｉｆｉｃ）は、端末デバイスが専有する伝送リソースであり、ネットワークデバイスは、端末デバイスにＵＥ−ｓｐｅｃｉｆｉｃリソースの指示又はＵＥ−ｇｒｏｕｐ−ｃｏｍｍｏｎリソースの指示を行ってもよい。
【００５２】
ここで、当該データリソースのスケジューリング単位は、スロット、サブフレーム又はシンボル等であってもよい。例えば、リソーススケジューリングがタイムスロット単位である場合、ネットワークデバイスは、そのデータ送信のためにその送信リソースが位置するタイムスロットの位置を端末デバイスに示し、端末デバイスは、そのタイムスロットの固定された時間シンボルでデータを伝送し、このプロセスは、スロットベースのスケジューリング( ｓｌｏｔ−ｂａｓｅｄ ｓｃｈｅｄｕｌｉｎｇ )とも呼ばれ得る。リソーススケジューリングがシンボル単位である場合、ネットワークデバイスは、データ伝送の伝送リソースが存在するスロットの位置を端末デバイスに示すだけでなく、伝送リソースがそのスロットの何番目のシンボルであるかを端末デバイスに示し、シンボルベースのスケジューリング（ｓｙｍｂｏｌ−ｂａｓｅｄ ｓｃｈｅｄｕｌｉｎｇ）又は非スロットベースのスケジューリング（ｎｏｎ−ｓｌｏｔ−ｂａｓｅｄ ｓｃｈｅｄｕｌｉｎｇ）と呼ぶことができる。
【００５３】
選択可能で、当該伝送情報は、当該端末デバイスの業務情報、例えば端末デバイスの業務タイプ情報、端末デバイスのサービス品質情報、又は端末デバイスの業務品質情報であってもよい。
【００５４】
選択可能で、２２０の前、即ち、端末デバイスが当該端末デバイスの伝送情報及び第１のマッピング関係に基づいて当該伝送情報に対応する少なくとも１つの伝送周波数帯域を確定する前に、当該方法は、さらに、端末デバイスがネットワークデバイスにより送信された第２の制御情報を受信することを含み、当該第２の制御情報は、当該第１のマッピング関係を含む。
【００５５】
具体的に、複数の伝送情報と複数の伝送周波数帯域との当該第１のマッピング関係は、端末デバイスとネットワークデバイスとの予め約定された例えばプロトコル規定であってもよいし、ネットワークデバイスが確定した後に端末デバイスに構成されたものであってもよい。ネットワークデバイスは、当該第１のマッピング関係を常に調整し、端末デバイスに第２の制御情報を送信して当該マッピング関係を指示することができる。端末デバイスは、ネットワークデバイスにより構成された当該第１のマッピング関係に基づいて、その伝送情報に対応する少なくとも１つの伝送周波数帯域を確定する。
【００５６】
複数の伝送情報と複数の伝送周波数帯域との間のこの第１のマッピング対応関係は、例えば、表、数式、画像等によって表されてもよく、複数の伝送情報と複数の伝送周波数帯域との間のこの対応関係のうち、１つの伝送情報は１つ又は複数の伝送周波数帯域に対応してもよく、１つの伝送周波数帯域は１つ又は複数の伝送情報に対応してもよい。すなわち、端末デバイスは、複数の伝送情報と複数の伝送周波数帯域との間の対応関係を含む予め設定されたマッピングテーブルを参照して、前記伝送情報に対応する前記伝送周波数帯域を確定することができ、あるいは、端末デバイスは、予め設定された式と、伝送情報の関連パラメータ情報とにより、当該伝送情報に対応する伝送周波数帯域の識別子または番号を算出するようにしてもよい。本願はこれに限定されるものではない。
【００５７】
２３０において、端末デバイスが当該少なくとも１つの伝送周波数帯域から、当該データ伝送のための対象伝送周波数帯域を確定する。
【００５８】
具体的には、端末デバイスは、その伝送情報に対応する少なくとも１つの伝送周波数帯域のうち、１又は複数の伝送周波数帯域を、そのデータ伝送の対象伝送周波数帯域として選択する。例えば、端末デバイスは、少なくとも１つの伝送周波数帯域のうちの１つをデータ伝送の対象伝送周波数帯域としてランダムに選択してもよいし、少なくとも１つの伝送周波数帯域の全てをデータ伝送に使用してもよいし、少なくとも１つの伝送周波数帯域のうちの対応する対象伝送周波数帯域を所定の規則に基づいて選択してもよい。
【００５９】
特に、１つの伝送情報が１つの伝送周波数帯域のみに対応し、即ち、当該伝送情報に対応する少なくとも１つの伝送周波数帯域には１つの伝送周波数帯域のみが含まれる場合、２３０において、端末デバイスが前記少なくとも１つの伝送周波数帯域から、対象伝送周波数帯域を確定することは、端末デバイスが前記伝送情報に対応する当該伝送周波数帯域を前記対象伝送周波数帯域として確定する。
【００６０】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、２３０において、前記端末デバイスが前記少なくとも１つの伝送周波数帯域において対象伝送周波数帯域を確定することは、前記端末デバイスが前記対象伝送周波数帯域の周波数帯域情報、及び前記第１のマッピング関係に基づいて、前記少なくとも１つの伝送周波数帯域のうちの、前記周波数帯域情報に対応する伝送周波数帯域を前記対象伝送周波数帯域として確定する。
【００６１】
具体的に、第１のマッピング関係は、複数の伝送周波数帯域と複数の周波数帯域情報との対応関係を含み、端末デバイスは、当該伝送情報に対応する少なくとも１つの伝送周波数帯域を確定した後、第１の制御情報に含まれる周波数帯域情報、及び第１のマッピング関係に基づいて、当該少なくとも１つの伝送周波数帯域のうちの当該周波数帯域情報に対応する伝送周波数帯域を当該対象伝送周波数帯域として確定する。
【００６２】
なお、各伝送周波数帯域が自分に属する、対応する周波数帯域情報を有し、各伝送周波数帯域に対応する周波数帯域情報は、一意ではない。伝送情報１に対応する少なくとも１つの伝送周波数帯域と伝送情報２に対応する少なくとも１つの伝送周波数帯域とは、同じ伝送周波数帯域を含む場合、当該同じ伝送周波数帯域が異なる伝送情報に対応する場合、有する周波数帯域情報が同じでもよいし、異なってもよい。例えば、当該同じ伝送周波数帯域の伝送情報１に対する少なくとも１つの伝送周波数帯域が対応する伝送情報が００であり、当該同じ伝送周波数帯域の伝送情報２に対応する少なくとも１つの伝送周波数帯域が対応する伝送情報が０１である。
【００６３】
２４０において、端末デバイスは当該第１の制御情報に基づいて、当該対象伝送周波数帯域において、当該ネットワークデバイスと当該データ伝送を行う。
【００６４】
具体的に、端末デバイスは、伝送情報に基づいて当該伝送情報に対応する少なくとも１つの伝送周波数帯域を確定した後、第１の制御情報内の周波数帯域情報に基づいて当該少なくとも１つの伝送周波数帯域からデータ伝送のための対象伝送周波数帯域を確定することで、ネットワークデバイスにより送信された当該第１の制御情報のスケジューリング、当該対象伝送周波数帯域においてスケジューリングされたリソースにおいて、ネットワークデバイスと当該データ伝送を行う。
【００６５】
なお、本願の実施例において、端末デバイスは、当該伝送周波数帯域において当該ネットワークデバイスとデータ伝送を行う時に、伝送される当該データは、業務データ、シグナリングデータ又は他のタイプのデータを含む。当該データ伝送は、端末デバイスがネットワークデバイスからの当該データを受信すること、又は端末デバイスがネットワークデバイスに当該データを送信することを含む。
【００６６】
したがって、本発明の実施例に係る方法によれば、端末デバイスは、その伝送情報から当該伝送情報に対応する少なくとも一つの伝送周波数帯域を確定し、当該少なくとも一つの伝送周波数帯域の中でデータ伝送のための伝送周波数帯域を確定することができ、ネットワークデバイスは、伝送周波数帯域毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【００６７】
例えば、表１に示すように、システム帯域幅が８個のＢＷＰを含み、当該第１の制御情報がＤＣＩであり、当該伝送情報がＤＣＩ Ｆｏｒｍａｔであり、当該第１の制御情報に、伝送周波数帯域の周波数帯域情報を示すための予め設定されたビットを含むものとする。
【００６８】
【表１】
2020532886.tif 000003
【００６９】
表１に示されるマッピング関係に従って、端末デバイスが受信するＤＣＩのフォーマットがＤＣＩ Ｆｏｒｍａｔ１である場合、端末デバイスは、ＤＣＩ Ｆｏｒｍａｔ１に対応する少なくとも１つのＢＷＰがＢＷＰ１からＢＷＰ４を含むことを確定し得る。端末デバイスが受信するＤＣＩにおいて搬送される帯域情報が００である場合、端末デバイスは、データ伝送のための対象伝送周波数帯域がＢＷＰ１であると確定することができ、ＤＣＩにおける周波数帯域情報が０１である場合、端末デバイスは、対象周波数伝送周波数帯域がＢＷＰ２であると確定し得り、ＤＣＩにおける周波数帯域情報が１０である場合、端末デバイスは、対象伝送周波数帯域がＢＷＰ３であると確定し、ＤＣＩにおける周波数帯域情報が１１である場合、端末デバイスは、対象伝送周波数帯域をＢＷＰ４と確定することができる。
【００７０】
端末デバイスが受信するＤＣＩのフォーマットがＤＣＩ Ｆｏｒｍａｔ２である場合、端末デバイスは、ＤＣＩ Ｆｏｒｍａｔ２に対応する少なくとも１つのＢＷＰがＢＷＰ５およびＢＷＰ６を含むことを確定し得る。ＤＣＩ中の周波数帯域情報が０である場合、端末デバイスは、当該対象伝送周波数帯域がＢＷＰ５であると確定し、ＤＣＩにおける周波数帯域情報が１である場合、端末デバイスは、当該対象伝送周波数帯域をＢＷＰ６と確定することができる。
【００７１】
端末デバイスが受信するＤＣＩのフォーマットがＤＣＩ Ｆｏｒｍａｔ３であれば、端末デバイスは、ＤＣＩ Ｆｏｒｍａｔ３に対応する少なくとも１つの伝送周波数帯域にＢＷＰ７のみが含まれていると判断し、ＢＷＰ７を対象伝送周波数帯域として確定することができる。
【００７２】
端末デバイスが受信するＤＣＩのフォーマットがＤＣＩ Ｆｏｒｍａｔ４である場合、端末デバイスは、ＤＣＩ Ｆｏｒｍａｔ３に対応する少なくとも１つの伝送周波数帯域にＢＷＰ８のみが含まれると確定し、ＢＷＰ８が対象伝送周波数帯域である確定することができる。
【００７３】
このように、ＤＣＩが直接的に使用されて、ＢＷＰ１からＢＷＰ８までの８つの伝送周波数帯域をそれぞれ示す場合、ＤＣＩには、異なる伝送周波数帯域を示すために、少なくとも３ビットが含まれるべきである。表１に示すマッピング関係によれば、ＢＷＰ１からＢＷＰ８までの８種類の伝送周波数帯域を最大２ビットだけ指示し、ＤＣＩのシグナリングオーバーヘッドを低減する。たとえば、端末デバイスによって受信されるＤＣＩのフォーマットがＤＣＩ Ｆｏｒｍａｔ２である場合、ＤＣＩにおいて搬送される周波数帯域情報は、ＢＷＰ５を０で示し、ＢＷＰ６を１で示すなど、１ビットだけを占有すればよく、端末デバイスが受信するＤＣＩのフォーマットがＤＣＩ Ｆｏｒｍａｔ３またはＤＣＩ Ｆｏｒｍａｔ４である場合、ＤＣＩにおいて余分なビットを搬送してＢＷＰを示すことはなく、ＤＣＩのオーバーヘッドが節約される。
【００７４】
なお、異なる伝送情報に対応する少なくとも１つの伝送周波数帯域について、第１の制御情報において搬送される周波数帯域情報は、同じビット数を占有してもよい。例えば、表２に示すように、第１の制御情報はＤＣＩであり、ＤＣＩに含まれる２ビットは、各ＤＣＩフォーマットが対応する少なくとも１つのＢＷＰを示す。端末デバイスが受信するＤＣＩのフォーマットがＤＣＩ Ｆｏｒｍａｔ１である場合、ＤＣＩ中の周波数帯域情報００はＢＷＰ１を示し、ＤＣＩ中の周波数帯域情報０１はＢＷＰ２を示し、周波数帯域情報１０はＢＷＰ３を示し、ＤＣＩ中の周波数帯域情報１１はＢＷＰ４を示し、端末デバイスが受信するＤＣＩのフォーマットがＤＣＩ Ｆｏｒｍａｔ２である場合、ＤＣＩにおける周波数帯域情報００はＢＷＰ５を示し、ＤＣＩにおける周波数帯域情報０１はＢＷＰ６を示し(ただし、１０および１１は他の情報を示すためにも使用され得る)、端末デバイスが受信するＤＣＩのフォーマットがＤＣＩ Ｆｏｒｍａｔ３である場合、周波数帯域情報００はＢＷＰ７を示し(ただし、 ０１、１０、および１１は、他の情報を示すためにも使用され得る)、端末デバイスが受信するＤＣＩのフォーマットがＤＣＩ Ｆｏｒｍａｔ４である場合、周波数帯域情報００は、ＢＷＰ８を示すために使用される( ただし、０１、１０、および１１は、他の情報を示すためにも使用され得る)。
【００７５】
【表２】
2020532886.tif 000004
【００７６】
なお、本願の実施例において、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【００７７】
言い換えれば、各伝送情報が対応する少なくとも一つの伝送周波数帯域は一つの周波数周波数帯域セットと呼ばれ、異なる伝送情報が対応する異なる周波数帯域セットには、同じ伝送周波数帯域または異なる伝送周波数帯域が存在し得るが、その同じ伝送周波数帯域は異なる伝送情報が対応する周波数帯域セットにおいて対応する周波数帯域情報が異なっていてもよいが、ある伝送情報について、その伝送情報が対応する周波数帯域セットにおける伝送周波数帯域の周波数帯域情報はすべて異なっている。
【００７８】
例えば、表３に示す場合、ＤＣＩ Ｆｏｒｍａｔ１に対応する少なくとも１つのＢＷＰには、ＢＷＰ１〜ＢＷＰ４が含まれ、ＤＣＩ Ｆｏｒｍａｔ２に対応する少なくとも１つのＢＷＰには、ＢＷＰ２、ＢＷＰ５、及びＢＷＰ６が含まれ、ＤＣＩ Ｆｏｒｍａｔ３に対応する少なくとも１つのＢＷＰには、ＢＷＰ３、及びＢＷＰ７が含まれ、ＤＣＩ Ｆｏｒｍａｔ３に対応する少なくとも１つのＢＷＰには、ＢＷＰ８のみが含まれる。
【００７９】
ＤＣＩ Ｆｏｒｍａｔ１及びＤＣＩ Ｆｏｒｍａｔ２に対応するＢＷＰは、共にＢＷＰ２を含むが、ＤＣＩ Ｆｏｒｍａｔ１に対応する少なくとも１つのＢＷＰにおいて、ＢＷＰ２の周波数帯域情報は０１であり、ＤＣＩ Ｆｏｒｍａｔ２に対応する少なくとも１つのＢＷＰにおいて、ＢＷＰ２の周波数帯域情報は０１であることが分かる。
【００８０】
また、ＤＣＩ Ｆｏｒｍａｔ１及びＤＣＩ Ｆｏｒｍａｔ３に対応するＢＷＰは、いずれもＢＷＰ３を含みうるが、ＤＣＩ Ｆｏｒｍａｔ１に対応する少なくとも１つのＢＷＰにおいて、ＢＷＰ３の周波数帯域情報は１０であり、ＤＣＩ Ｆｏｒｍａｔ３に対応する少なくとも１つのＢＷＰにおいて、ＢＷＰ３の周波数帯域情報は００である。
【００８１】
【表３】
2020532886.tif 000005
【００８２】
表３に示す第１のマッピング関係に関して、表４に示すように、ＢＷＰ１はＤＣＩ Ｆｏｒｍａｔ１に対応し、ＢＷＰ２はＤＣＩ Ｆｏｒｍａｔ１及びＤＣＩ Ｆｏｒｍａｔ２に対応し、ＢＷＰ３はＤＣＩ Ｆｏｒｍａｔ１及びＤＣＩ Ｆｏｒｍａｔ３に対応し、ＢＷＰ４はＤＣＩ Ｆｏｒｍａｔ２に対応し、ＢＷＰ５はＤＣＩ Ｆｏｒｍａｔ２に対応し、ＢＷＰ６はＤＣＩ Ｆｏｒｍａｔ２に対応し、ＢＷＰ７はＤＣＩ Ｆｏｒｍａｔ３に対応し、ＢＷＰ８はＤＣＩ Ｆｏｒｍａｔ４に対応する、という別の形態も可能である。
【００８３】
あるＢＷＰが複数のＤＣＩ Ｆｏｒｍａｔに対応している場合、そのＢＷＰは、異なるＤＣＩ Ｆｏｒｍａｔにおいて対応する周波数帯域情報が異なる。例えば、ＢＷＰ２がＤＣＩ Ｆｏｒｍａｔ１の場合に対応する周波数帯域情報は０１であり、ＤＣＩ Ｆｏｒｍａｔ２の場合に対応する周波数帯域情報は００である。
【００８４】
【表４】
2020532886.tif 000006
【００８５】
第１のマッピング関係は、伝送情報がＤＣＩ Ｆｏｒｍａｔである場合を例に説明したが、以下では、表５から表８を参照して、伝送情報がそれぞれＤＣＩ Ｓｉｚｅ、ＤＣＩである上り情報およびリソースタイプ情報を例に説明する。
【００８６】
表５に示す第１のマッピング関係のように、システム帯域幅が８個のＢＷＰを含み、当該第１の制御情報がＤＣＩであり、当該伝送情報がＤＣＩ Ｓｉｚｅであり、当該第１の制御情報に予め設定されたビットが含まれ、当該ビット上の値が、当該端末デバイスが当該データ伝送を行う対象伝送周波数帯域の周波数帯域情報を示す。
【００８７】
【表５】
2020532886.tif 000007
【００８８】
表５に示されるマッピング関係に従って、端末デバイスによって受信されるＤＣＩのサイズがＤＣＩ Ｓｉｚｅ１である場合、端末デバイスは、ＤＣＩ Ｓｉｚｅ１に対応する少なくとも１つのＢＷＰがＢＷＰ１からＢＷＰ４を含むことを確定し得る。端末デバイスが受信するＤＣＩにおいて搬送される周波数帯域情報が００である場合、端末デバイスは、データ伝送のための対象伝送周波数帯域がＢＷＰ１であると確定することができ、ＤＣＩにおける周波数帯域情報が０１である場合、端末デバイスは、当該対象伝送周波数帯域がＢＷＰ２であると確定し、ＤＣＩにおける周波数帯域情報が１０である場合、端末デバイスは、当該対象伝送周波数帯域がＢＷＰ３であると確定し、ＤＣＩにおける周波数帯域情報が１１である場合、端末デバイスは、当該対象伝送周波数帯域がＢＷＰ４であると確定することができる。
【００８９】
端末デバイスによって受信されるＤＣＩのサイズがＤＣＩ Ｓｉｚｅ２である場合、端末デバイスは、ＤＣＩ Ｓｉｚｅ２に対応する少なくとも１つのＢＷＰがＢＷＰ５およびＢＷＰ６を含むことを確定する。ＤＣＩ中の帯域情報が０である場合、端末デバイスは、当該対象伝送周波数帯域がＢＷＰ５であると確定し、ＤＣＩにおける周波数帯域情報が１である場合、端末デバイスは、当該対象伝送周波数帯域がＢＷＰ６であると確定することができる。
【００９０】
端末デバイスが受信するＤＣＩのサイズがＤＣＩ Ｓｉｚｅ３である場合、端末デバイスは、ＤＣＩ Ｓｉｚｅ３に対応する少なくとも１つの伝送周波数帯域にＢＷＰ７のみが含まれると確定し、ＢＷＰ７を対象伝送周波数帯域として確定することができる。
【００９１】
端末デバイスが受信するＤＣＩのサイズがＤＣＩ Ｓｉｚｅ４である場合、端末デバイスは、ＤＣＩ Ｓｉｚｅ３に対応する少なくとも１つの伝送周波数帯域にＢＷＰ８のみが含まれると確定し、ＢＷＰ８を対象伝送周波数帯域として確定することができる。
【００９２】
ＤＣＩが直接的に使用されて、ＢＷＰ１からＢＷＰ８までの８つの伝送周波数帯域をそれぞれ示す場合、ＤＣＩには、異なる伝送周波数帯域を示すために、少なくとも３ビットが含まれるべきである。また、表５に示すマッピング関係によれば、ＢＷＰ１からＢＷＰ８までの８種類の伝送帯域を最大２ビットだけ指示し、ＤＣＩのシグナリングオーバーヘッドを低減している。たとえば、端末デバイスによって受信されるＤＣＩのサイズがＤＣＩ  Ｓｉｚｅ２である場合、ＤＣＩにおいて搬送される帯域情報は、ＢＷＰ５を０で示し、ＢＷＰ６を１で示すなど、１ビットだけを占有すればよく、端末デバイスが受信するＤＣＩのサイズがＤＣＩ Ｓｉｚｅ３またはＤＣＩ Ｓｉｚｅ４である場合、ＤＣＩにおいて余分なビットを搬送してＢＷＰを示すことはなく、ＤＣＩのオーバーヘッドが節約される。
【００９３】
また例えば、表６に示される第１のマッピング関係は、システム帯域幅が８個のＢＷＰを含み、当該第１の制御情報がＤＣＩであり、当該伝送情報が当該ＤＣＩがスケジューリングする上りデータであるか下りデータであるかを示す上下情報であり、当該第１の制御情報に予め設定されたビットを含み、当該ビット上の値が当該端末デバイスが当該データ伝送を行う対象伝送周波数帯域の周波数帯域情報を示す。
【００９４】
【表６】
2020532886.tif 000008
【００９５】
表６に示すマッピング関係によれば、端末デバイスは、ＤＩＣスケジューリングが下りデータであれば、下り伝送に対応する少なくとも１つのＢＷＰがＢＷＰ１〜ＢＷＰ４を含むと確定することができる。端末デバイスが受信するＤＣＩにおいて搬送される周波数帯域情報が００である場合、端末デバイスは、データ伝送のための対象伝送周波数帯域がＢＷＰ１であると確定することができ、ＤＣＩにおける周波数帯域情報が０１である場合、端末デバイスは、当該対象伝送周波数帯域がＢＷＰ２であると確定し、ＤＣＩにおける周波数帯域情報が１０である場合、端末デバイスは、当該対象伝送周波数帯域がＢＷＰ３であると確定し、ＤＣＩにおける周波数帯域情報が１１である場合、端末デバイスは、当該対象伝送周波数帯域がＢＷＰ４であると確定することができる。
【００９６】
ＤＣＩスケジューリングが上りデータである場合、端末デバイスは、上り伝送に対応する少なくとも１つのＢＷＰがＢＷＰ５〜ＢＷＰ８を含むと確定する。端末デバイスが受信するＤＣＩにおいて搬送される周波数帯域情報が００である場合、端末デバイスは、データ伝送のための対象伝送周波数帯域がＢＷＰ５であると確定することができ、ＤＣＩにおける周波数帯域情報が０１である場合、端末デバイスは、対象伝送周波数帯域がＢＷＰ６であると確定し、ＤＣＩにおける周波数帯域情報が１０である場合、端末デバイスは、当該対象伝送周波数帯域がＢＷＰ７であると確定し、ＤＣＩにおける周波数帯域情報が１１である場合、端末デバイスは、当該対象伝送周波数帯域がＢＷＰ８であると確定することができる。
【００９７】
ＤＣＩが直接的に使用されて、ＢＷＰ１からＢＷＰ８までの８つの伝送周波数帯域をそれぞれ示す場合、ＤＣＩには、異なる伝送周波数帯域を示すために、少なくとも３ビットが含まれるべきである。表６に示すマッピング関係によれば、ネットワークデバイスは、ＢＷＰ１からＢＷＰ８までの８種類の伝送帯域を２ビットだけ指示し、ＤＣＩのシグナリングオーバーヘッドを低減する。例えば、ＤＣＩが下り送信をスケジューリングする場合、ＤＣＩにおいて搬送される帯域情報は、ＢＷＰ１が００で示され、ＢＷＰ２が０１で示されるように、２ビットだけ占有し得る。
【００９８】
また、例えば、表７に示す第１のマッピング関係のように、システム帯域幅が８個のＢＷＰを含み、伝送情報が、共通リソースをスケジューリングするか、端末デバイスの専有リソースをスケジューリングするかを示す情報であり、当該第１の制御情報に、端末デバイスがデータ伝送を行う対象伝送周波数帯域の周波数帯域情報を示す値を予め設定されたビットに含むものとする。
【００９９】
【表７】
2020532886.tif 000009
【０１００】
表７に示すマッピング関係によれば、端末デバイスの専有リソースを第１の制御情報がスケジューリングする場合、端末デバイスは、専有リソースに対応する少なくとも１つのＢＷＰがＢＷＰ１〜ＢＷＰ４を含むと確定することができる。端末デバイスが受信した第１の制御情報に含まれる帯域情報が００である場合、端末デバイスは、データ伝送のための対象伝送周波数帯域がＢＷＰ１であると確定することができ、前記第１の制御情報の周波数帯域情報が０１である場合、前記端末デバイスは、当該対象伝送周波数帯域がＢＷＰ２であると確定し、端末デバイスは、第１の制御情報の帯域情報が１０である場合、当該対象伝送周波数帯域がＢＷＰ３である確定し、第１の制御情報の周波数帯域情報が１１であれば、端末デバイスは、当該対象伝送周波数帯域がＢＷＰ４であると確定することができる。
【０１０１】
第１の制御情報が、端末デバイスを含む複数の端末デバイスの共通のリソースをスケジューリングする場合、端末デバイスは、共通のリソースに対応する少なくとも１つのＢＷＰがＢＷＰ５〜ＢＷＰ８を含むと確定することができる。端末デバイスが受信した第１の制御情報に含まれる周波数帯域情報が００である場合、端末デバイスは、データ伝送のための対象伝送周波数帯域がＢＷＰ５であると確定することができ、前記第１の制御情報の周波数帯域情報が０１である場合、前記端末デバイスは、当該対象伝送周波数帯域がＢＷＰ６であると確定し、端末デバイスは、第１の制御情報の周波数帯域情報が１０である場合、当該対象伝送周波数帯域がＢＷＰ７であると確定し、第１の制御情報の周波数帯域情報が１１であれば、端末デバイスは、当該対象伝送周波数帯域がＢＷＰ８であると確定することができる。
【０１０２】
第１の制御情報をそのまま用いて、ＢＷＰ１〜ＢＷＰ８の８種類の伝送周波数帯域をそれぞれ指示する場合、第１の制御情報には、異なる伝送周波数帯域を指示するための３ビットが含まれている。表７に示すマッピング関係によれば、ネットワークデバイスは、ＢＷＰ１からＢＷＰ８までの８種類の伝送帯域を２ビットだけ指示する必要があり、第１の制御情報のシグナリングオーバーヘッドが減少する。例えば、第１の制御情報がスケジューリングされるリソースが専有リソースである場合、第１の制御情報に搬送される周波数帯域情報は、ＢＷＰ１を００で示し、ＢＷＰ２を０１で示すように、２ビットだけ占有すればよい。
【０１０３】
また、例えば、表８に示す第１のマッピング関係は、システム帯域幅が８個のＢＷＰを含み、当該伝送情報がリソーススケジューリング単位であり、前記第１の制御情報に予め設定されたビットが含まれ、当該ビット上の値が、端末デバイスが当該データ伝送を行う対象伝送周波数帯域の周波数帯域情報を示す。
【０１０４】
【表８】
2020532886.tif 000010
【０１０５】
表８に示すマッピング関係によれば、端末デバイスは、リソーススケジュール単位がタイムスロットである場合、すなわち、第１の制御情報は、ネットワークデバイスがタイムスロットに基づいてスケジューリングする場合（ｓｌｏｔ−ｂａｓｅｄ ｓｃｈｅｄｕｌｉｎｇ）、リソーススケジュール単位がタイムスロットである場合に対応する少なくとも１つのＢＷＰが、ＢＷＰ１〜ＢＷＰ４を含むと確定することができる。端末デバイスが受信した第１の制御情報に含まれる周波数帯域情報が００である場合、端末デバイスは、データ伝送のための対象伝送周波数帯域がＢＷＰ１であると確定することができ、前記第１の制御情報の周波数帯域情報が０１である場合、前記端末デバイスは、当該対象伝送周波数帯域がＢＷＰ２であると確定し、端末デバイスは、第１の制御情報の周波数帯域情報が１０である場合、当該対象伝送周波数帯域がＢＷＰ３であると確定し、第１の制御情報の周波数帯域情報が１１であれば、端末デバイスは、当該対象伝送周波数帯域がＢＷＰ４であると確定することができる。
【０１０６】
リソーススケジュール単位がシンボルである場合、すなわち、第１の制御情報が、シンボルに基づくネットワークデバイスのスケジューリングである場合（ｓｙｍｂｏｌ−ｂａｓｅｄ ｓｃｈｅｄｕｌｉｎｇ）、端末デバイスは、リソーススケジュール単位がシンボルである場合に対応する少なくとも１つのＢＷＰがＢＷＰ５〜ＢＷＰ８を含むことを確定することができる。端末デバイスが受信した第１の制御情報に含まれる周波数帯域情報が００である場合、端末デバイスは、データ伝送のための対象伝送周波数帯域がＢＷＰ５であると確定することができ、前記第１の制御情報の周波数帯域情報が０１である場合、前記端末デバイスは、当該対象伝送周波数帯域がＢＷＰ６であると確定し、端末デバイスは、第１の制御情報の周波数帯域情報が１０である場合、当該対象伝送周波数帯域がＢＷＰ７であると確定し、第１の制御情報の周波数帯域情報が１１であれば、端末デバイスは、当該対象伝送周波数帯域がＢＷＰ８であると確定することができる。
【０１０７】
第１の制御情報をそのまま用いて、ＢＷＰ１〜ＢＷＰ８の８種類の伝送周波数帯域をそれぞれ指示する場合、第１の制御情報には、異なる送信帯域を指示するための３ビットが含まれていればよい。表８に示すマッピング関係によれば、ネットワークデバイスは、ＢＷＰ１からＢＷＰ８までの８種類の伝送帯域を２ビットだけ指示する必要があり、第１の制御情報のシグナリングオーバーヘッドが減少する。例えば、第１の制御情報がタイムスロット単位のスケジューリングである場合、ＢＷＰ１が００で示し、ＢＷＰ２が０１で示すように、第１の制御情報で搬送される帯域情報は２ビットを占める。
【０１０８】
図３は本願の実施例におけるデータ伝送方法のフローチャートである。図３に示す方法は、ネットワークデバイスにより実行され、当該ネットワークデバイスは、例えば図１に示すネットワークデバイス１０である。図３に示すように、当該データ伝送方法は、３１０〜３４０を含む。
【０１０９】
３１０において、ネットワークデバイスが端末デバイスの伝送情報及び第１のマッピング関係に基づいて、前記伝送情報に対応する少なくとも１つの伝送周波数帯域を確定し、ここで、前記第１のマッピング関係は、複数の伝送情報と複数の伝送周波数帯域との対応関係を含み、前記伝送情報は、前記端末デバイスがデータ伝送を行うようにスケジューリングするための第１の制御情報の属性、前記データ伝送のためのリソースタイプ情報、及び前記端末デバイスの業務情報のうちの少なくとも１つを含む。
【０１１０】
３２０において、前記ネットワークデバイスが前記少なくとも１つの伝送周波数帯域において対象伝送周波数帯域を確定する。
【０１１１】
３３０において、前記ネットワークデバイスが前記端末デバイスに前記第１の制御情報を送信する。
【０１１２】
３４０において、前記ネットワークデバイスが前記対象伝送周波数帯域において前記端末デバイスと前記データ伝送を行う。
【０１１３】
具体的には、ネットワークデバイスは、端末デバイスの伝送情報及び第１のマッピング関係に基づいて、当該伝送情報に対応する少なくとも１つの伝送周波数帯域(異なる伝送周波数帯域は、異なる帯域幅サイズ及び/又は異なる周波数領域位置を占有する等、異なる伝送周波数帯域は、異なる基本パラメータセット、例えばサブキャリア間隔等を有することもできる)を確定し、当該少なくとも１つの伝送周波数帯域において、端末デバイスにデータ伝送を行うための対象伝送周波数帯域を構成することで、当該対象伝送周波数帯域上で端末デバイスとのデータ伝送を行うことができる。
【０１１４】
したがって、本発明の実施例に係る方法によれば、ネットワークデバイスは、端末デバイスの伝送情報に基づいて当該伝送情報に対応する少なくとも１つの伝送周波数帯域を確定し、当該少なくとも１つの伝送周波数帯域において当該端末デバイスにデータ伝送を行うための伝送周波数帯域を選択し、ネットワークデバイスは、伝送周波数帯域毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【０１１５】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記ネットワークデバイスが前記端末デバイスに前記第１の制御情報を送信する前に、前記方法は、さらに、前記ネットワークデバイスが前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定することを含む。
【０１１６】
なお、各伝送周波数帯域が自分に属する、対応する周波数帯域情報を有し、各伝送周波数帯域に対応する周波数帯域情報は、一意ではない。第１の伝送情報に対応する少なくとも１つの伝送周波数帯域と第２の伝送情報に対応する少なくとも１つの伝送周波数帯域とは、同じ伝送周波数帯域を含む場合、当該同じ伝送周波数帯域が異なる伝送情報に対応する場合、有する周波数帯域情報が同じでもよいし、異なってもよい。
【０１１７】
ネットワークデバイスは、端末デバイスの伝送情報に対応する少なくとも１つの伝送周波数帯域を確定した後、当該対象伝送周波数帯域と第１のマッピング関係に基づいて、当該伝送情報に対応する当該少なくとも１つの伝送周波数帯域に対応する少なくとも１つの周波数帯域情報から、当該対象伝送周波数帯域に対応する周波数帯域情報を確定する。
【０１１８】
選択可能で、前記ネットワークデバイスが前記対象伝送周波数帯域において前記端末デバイスと前記データ伝送を行う前に、前記方法は、さらに、前記ネットワークデバイスが前記端末デバイスに第２の制御情報を送信することを含み、前記第２の制御情報は、前記第１のマッピング関係を含む。
【０１１９】
選択可能で、前記第１の制御情報は、下り制御情報ＤＣＩ又はメディアアクセス制御要素ＭＡＣ  ＣＥを含む。
【０１２０】
選択可能で、前記第２の制御情報は、無線リソース制御ＲＲＣシグナリング又はシステム情報を含む。
【０１２１】
選択可能で、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【０１２２】
選択可能で、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【０１２３】
選択可能で、前記端末デバイスの業務情報は、前記端末デバイスの業務タイプ情報、前記端末デバイスのサービス品質情報及び前記端末デバイスの業務品質情報のうちの少なくとも１つを含む。
【０１２４】
選択可能で、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【０１２５】
なお、第１のマッピング関係に従ってネットワークデバイスが伝送周波数帯域を確定するプロセスは、特に、前述の図２における端末デバイスに関する説明を参照してもよく、簡潔にするためにここでは詳しい説明を省略する。
【０１２６】
また、本発明の様々な実施例において、上述のプロセスの順序の大きさは、実行順序の前後を意味するものではなく、各プロセスの実行順序は、その機能及び内部ロジックにおいて決定されるべきであり、本発明の実施例のプロセスを何ら限定するものではないことを理解されたい。
【０１２７】
図４は本願の実施例における端末デバイス４００のブロック図である。図４に示すように、当該端末デバイス４００は、送受信ユニット４１０及び確定ユニット４２０を含む。
【０１２８】
送受信ユニット４１０は、ネットワークデバイスにより送信された第１の制御情報を受信するように構成され、前記第１の制御情報は、前記端末デバイスがデータ伝送を行うようにスケジューリングするために用いられる。
【０１２９】
確定ユニット４２０は、前記端末デバイスの伝送情報及び第１のマッピング関係に基づいて、前記伝送情報に対応する少なくとも１つの伝送周波数帯域を確定するように構成され、ここで、前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含む、
前記確定ユニット４２０は、さらに、前記少なくとも１つの伝送周波数帯域から、対象伝送周波数帯域を確定するように構成される。
【０１３０】
前記送受信ユニット４１０は、さらに、前記第１の制御情報に基づいて、前記対象伝送周波数帯域において、前記ネットワークデバイスと前記データ伝送を行うように構成される。
【０１３１】
そして、本願の実施例における端末デバイスは、その伝送情報から当該伝送情報に対応する少なくとも一つの伝送周波数帯域を確定し、当該少なくとも一つの伝送周波数帯域の中でデータ伝送のための伝送周波数帯域を確定することができ、ネットワークデバイスは、伝送周波数帯域毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【０１３２】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記確定ユニット４２０は、さらに、前記対象伝送周波数帯域の周波数帯域情報及び前記第１のマッピング関係に基づいて、前記対象伝送周波数帯域を、前記少なくとも１つの伝送周波数帯域のうちの前記周波数帯域情報に対応する伝送周波数帯域として確定するように構成される。
【０１３３】
選択可能で、前記送受信ユニット４１０は、さらに、前記ネットワークデバイスにより送信された第２の制御情報を受信するように構成され、前記第２の制御情報は、前記第１のマッピング関係を含む。
【０１３４】
選択可能で、前記第１の制御情報は、下り制御情報ＤＣＩ又はメディアアクセス制御要素ＭＡＣ  ＣＥを含む。
【０１３５】
選択可能で、前記第２の制御情報は、無線リソース制御ＲＲＣシグナリング又はシステム情報を含む。
【０１３６】
選択可能で、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【０１３７】
選択可能で、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【０１３８】
選択可能で、前記端末デバイスの業務情報は、前記端末デバイスの業務タイプ情報、前記端末デバイスのサービス品質情報及び前記端末デバイスの業務品質情報のうちの少なくとも１つを含む。
【０１３９】
選択可能で、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送情報とは、同じ又は少なくとも一部が異なる。
【０１４０】
図５は本願の実施例におけるネットワークデバイス５００のブロック図である。図５に示すように、当該ネットワークデバイス５００は確定ユニット５１０及び送受信ユニット５２０を含む。
【０１４１】
確定ユニット５１０は、端末デバイスの伝送情報及び第１のマッピング関係に基づいて、前記伝送情報に対応する少なくとも１つの伝送周波数帯域を確定するように構成され、ここで、前記第１のマッピング関係は、複数の伝送情報と複数の伝送周波数帯域との対応関係を含み、前記伝送情報は、前記端末デバイスがデータ伝送を行うようにスケジューリングするための第１の制御情報の属性、前記データ伝送のためのリソースタイプ情報、及び前記端末デバイスの業務情報のうちの少なくとも１つを含む。
【０１４２】
前記確定ユニット５１０は、さらに、前記少なくとも１つの伝送周波数帯域から、対象伝送周波数帯域を確定するように構成される。
【０１４３】
前記送受信ユニット５２０は、前記端末デバイスに前記第１の制御情報を送信するように構成される。
【０１４４】
前記送受信ユニット５２０は、さらに、前記対象伝送周波数帯域において、前記端末デバイスと前記データ伝送を行うように構成される。
【０１４５】
そして、本願の実施例におけるネットワークデバイスは、端末デバイスの伝送情報に基づいて当該伝送情報に対応する少なくとも１つの伝送周波数帯域を確定し、当該少なくとも１つの伝送周波数帯域において当該端末デバイスにデータ伝送を行うための伝送周波数帯域を選択し、ネットワークデバイスは、伝送周波数帯域毎に対応する少なくとも一つの伝送周波数帯域についてのみ指示を行うだけでよく、システム帯域幅の中の全ての伝送周波数帯域について指示を行う必要がないので、下り制御情報のシグナリングオーバーヘッドを低減することができる。
【０１４６】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記確定ユニット５１０は、さらに、前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定するように構成される。
【０１４７】
選択可能で、前記送受信ユニット５２０は、さらに、前記端末デバイスに第２の制御情報を送信するように構成され、前記第２の制御情報は、前記第１のマッピング関係を含む。
【０１４８】
選択可能で、前記第１の制御情報は、下り制御情報ＤＣＩ又はメディアアクセス制御要素ＭＡＣ  ＣＥを含む。
【０１４９】
選択可能で、前記第２の制御情報は、無線リソース制御ＲＲＣシグナリング又はシステム情報を含む。
【０１５０】
選択可能で、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【０１５１】
選択可能で、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【０１５２】
選択可能で、前記端末デバイスの業務情報は、前記端末デバイスの業務タイプ情報、前記端末デバイスのサービス品質情報及び前記端末デバイスの業務品質情報のうちの少なくとも１つを含む。
【０１５３】
選択可能で、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【０１５４】
図６は、本発明の実施例に係る端末デバイス６００の概略構成図である。図６に示すように、端末デバイスは、プロセッサ６１０、送受信機２０、及びメモリ６３０を含み、プロセッサ６１０、送受信機２０、及びメモリ６３０は、内部接続経路を介して互いに通信する。メモリ６３０は、命令を記憶するために使用され、プロセッサ６１０は、送受信機２０を制御して信号を受信または送信するためにメモリ６３０によって記憶された命令を実行するために使用される。
【０１５５】
送受信機２０は、ネットワークデバイスにより送信された第１の制御情報を受信するように構成され、前記第１の制御情報は、前記端末デバイスがデータ伝送を行うようにスケジューリングするために用いられる。
【０１５６】
当該プロセッサ６１０は、前記端末デバイスの伝送情報及び第１のマッピング関係に基づいて、前記伝送情報に対応する少なくとも１つの伝送周波数帯域を確定し、ここで、前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含み、前記少なくとも１つの伝送周波数帯域から、対象伝送周波数帯域を確定するように構成される。
【０１５７】
当該送受信機６２０は、さらに、前記第１の制御情報に基づいて、前記対象伝送周波数帯域において、前記ネットワークデバイスと前記データ伝送を行うように構成される。
【０１５８】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記プロセッサ６１０は、さらに、前記対象伝送周波数帯域の周波数帯域情報及び前記第１のマッピング関係に基づいて、前記対象伝送周波数帯域を、前記少なくとも１つの伝送周波数帯域のうちの前記周波数帯域情報に対応する伝送周波数帯域として確定するように構成される。
【０１５９】
選択可能で、前記送受信機６２０は、さらに、前記ネットワークデバイスにより送信された第２の制御情報を受信するように構成され、前記第２の制御情報は、前記第１のマッピング関係を含む。
【０１６０】
選択可能で、前記第１の制御情報は、下り制御情報ＤＣＩ又はメディアアクセス制御要素ＭＡＣ  ＣＥを含む。
【０１６１】
選択可能で、前記第２の制御情報は、無線リソース制御ＲＲＣシグナリング又はシステム情報を含む。
【０１６２】
選択可能で、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【０１６３】
選択可能で、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【０１６４】
選択可能で、前記端末デバイスの業務情報は、前記端末デバイスの業務タイプ情報、前記端末デバイスのサービス品質情報及び前記端末デバイスの業務品質情報のうちの少なくとも１つを含む。
【０１６５】
選択可能で、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【０１６６】
本発明の実施例において、プロセッサ６１０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既製プログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジックデバイス、ディスクリートハードウェアコンポーネント等であってもよいことが理解されるべきである。汎用プロセッサはマイクロプロセッサであってもよく、プロセッサは任意の従来のプロセッサなどであってもよい。
【０１６７】
当該メモリ６３０は、読み出し専用メモリおよびランダムアクセスメモリを含み得、プロセッサ６１０に命令およびデータを提供し得る。メモリ６３０の一部は、不揮発性ランダムアクセスメモリをさらに含み得る。
【０１６８】
実施において、方法のステップは、プロセッサ６１０内のハードウェアの集積論理回路またはソフトウェア形態の命令によって実行されてもよい。本願の実施例に関連して開示される位置特定方法のステップは、ハードウェアプロセッサ実行として直接具現化されてもよく、またはプロセッサ６１０内のハードウェアおよびソフトウェアモジュールの組み合わせで実行されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ６３０に位置し、プロセッサ６１０は、メモリ６３０内の情報を読み出し、そのハードウェアとともに、上述した方法のステップを実行する。重複を避けるため、ここでは詳細な説明は省略する。
【０１６９】
本発明の一実施例に係る端末デバイス６００は、前述した方法２００の実行のための端末デバイス及び本発明の一実施例に係る端末デバイス４００に対応することができ、当該端末デバイス６００の各ユニット又はモジュールは、前述した方法２００の端末デバイスによって実行される各動作又は処理過程を実行するためにそれぞれ使用されるが、ここで、重複説明を避けるために、その詳細な説明は省略する。
【０１７０】
図７は、本発明の実施例に係るネットワークデバイス７００の概略構成図である。図７に示すように、ネットワークデバイスは、プロセッサ７１０、送受信機７２０、及びメモリ７３０を備え、プロセッサ７１０、送受信機７２０、及びメモリ７３０は、内部接続経路を介して互いに通信する。メモリ７３０は、命令を格納するために使用され、プロセッサ７１０は、送受信機７２０を制御して信号を受信または送信するためにメモリ７３０に格納された命令を実行するために使用される。
【０１７１】
当該プロセッサ７１０は、端末デバイスの伝送情報及び第１のマッピング関係に基づいて、前記伝送情報に対応する少なくとも１つの伝送周波数帯域を確定するように構成され、ここで、前記第１のマッピング関係は、複数の伝送情報と複数の伝送周波数帯域との対応関係を含み、前記伝送情報は、前記端末デバイスがデータ伝送を行うようにスケジューリングするための第１の制御情報の属性、前記データ伝送のためのリソースタイプ情報、及び前記端末デバイスの業務情報のうちの少なくとも１つを含む、前記少なくとも１つの伝送周波数帯域から、対象伝送周波数帯域を確定するように構成され、
前記送受信機７２０は、前記端末デバイスに前記第１の制御情報を送信し、前記対象伝送周波数帯域において、前記端末デバイスと前記データ伝送を行うように構成される。
【０１７２】
選択可能で、前記第１の制御情報は、前記対象伝送周波数帯域の周波数帯域情報を含み、前記第１のマッピング関係は、さらに、複数の伝送周波数帯域と複数の周波数帯域情報との対応関係を含み、ここで、前記プロセッサ７１０は、さらに、前記対象伝送周波数帯域及び前記第１のマッピング関係に基づいて、前記少なくとも１つの伝送周波数帯域に対応する少なくとも１つの周波数帯域情報から、前記対象伝送周波数帯域に対応する前記周波数帯域情報を確定するように構成される。
【０１７３】
選択可能で、前記送受信機７２０は、さらに、前記端末デバイスに第２の制御情報を送信するように構成され、前記第２の制御情報は、前記第１のマッピング関係を含む。
【０１７４】
選択可能で、前記第１の制御情報は、下り制御情報ＤＣＩ又はメディアアクセス制御要素ＭＡＣ  ＣＥを含む。
【０１７５】
選択可能で、前記第２の制御情報は、無線リソース制御ＲＲＣシグナリング又はシステム情報を含む。
【０１７６】
選択可能で、前記第１の制御情報はＤＣＩであり、前記第１の制御情報の属性は、前記ＤＣＩのＤＣＩフォーマット、前記ＤＣＩの大きさ、及び前記ＤＣＩが上りデータ又は下りデータをスケジューリングすることを示す情報のいずれかを含む。
【０１７７】
選択可能で、前記リソースタイプ情報は、前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、ここで、前記リソーススケジューリング単位は、シンボル、タイムスロット又はサブフレームを含む。
【０１７８】
選択可能で、前記端末デバイスの業務情報は、前記端末デバイスの業務タイプ情報、前記端末デバイスのサービス品質情報及び前記端末デバイスの業務品質情報のうちの少なくとも１つを含む。
【０１７９】
選択可能で、前記複数の伝送情報は第１の伝送情報及び第２の伝送情報を含み、前記第１の伝送情報に対応する少なくとも１つの伝送周波数帯域と前記第２の伝送情報に対応する少なくとも１つの伝送周波数帯域とは、同じ又は少なくとも一部が異なる。
【０１８０】
本発明の実施例において、プロセッサ７１０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１８１】
メモリ７３０は、読み出し専用メモリおよびランダムアクセスメモリを含むことができ、プロセッサ７１０に命令およびデータを提供する。メモリ７３０の一部は、不揮発性ランダムアクセスメモリをさらに含み得る。実装の過程で、方法のステップは、プロセッサ７１０内のハードウェアの集積論理回路またはソフトウェア形態の命令によって実行され得る。本願の実施例に関連して開示される位置特定方法のステップは、ハードウェアプロセッサ実行として直接具現化されてもよく、またはプロセッサ７１０内のハードウェアおよびソフトウェアモジュールの組み合わせで実行されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ７３０に位置し、プロセッサ７１０は、メモリ７３０内の情報を読み出し、そのハードウェアとともに、上述した方法のステップを実行する。重複を避けるため、ここでは詳細な説明は省略する。
【０１８２】
本発明の実施例に係るネットワークデバイス７００は、上述した方法３００の方法３００を実行するネットワークデバイス、及び本発明の実施例に係るネットワークデバイス５００に対応することができ、ネットワークデバイス７００の各ユニット又はモジュールは、上述した方法３００のネットワークデバイスによって実行される各動作又は処理手順を実行するためにそれぞれ使用される。
【０１８３】
図８は、本発明の実施例におけるシステムオンチップの概略構成図である。図８のシステムチップ８００は、入力インターフェース８０１、出力インターフェース８０２、少なくとも１つのプロセッサ８０３、メモリ８０４を含み、前記入力インターフェース８０１、出力インターフェース８０２、前記プロセッサ８０３及びメモリ８０４の間は、内部接続経路によって互いに接続される。プロセッサ８０３は、メモリ８０４内のコードを実行するように構成される。
【０１８４】
任意選択で、コードが実行されると、プロセッサ８０３は、方法の実施例において端末デバイスによって実行される方法２００を実装してもよい。簡潔にするために、ここでは説明を省略する。
【０１８５】
任意選択で、コードが実行されると、プロセッサ８０３は、方法の実施例においてネットワークデバイスによって実行される方法３００を実施してもよい。簡潔にするために、ここでは説明を省略する。
【０１８６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１８７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１８８】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１８９】
この分離手段として説明するユニットは、物理的に分離していても、分離していなくてもよく、ユニットとして表示する手段は、物理的なユニットであっても、物理的なユニットでなくても、１箇所にあっても、複数のネットワークユニットに分散していてもよい。また、本実施例の目的は、必要に応じて各部の一部又は全部を選択して実施することができる。
【０１９０】
また、本発明の各実施例における各機能部は、一つの監視ユニットに集積されてもよく、各ユニットが物理的に別個に存在してもよく、二つ以上のユニットが一つのユニットに集積されてもよい。
【０１９１】
この機能をソフトウェア機能ユニットの形で実現し、スタンドアロン製品として販売又は使用する場合には、コンピュータ読み取り可能な記憶媒体に記憶させることができる。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１９２】
以上、本発明の具体的な実施例について説明したが、本発明の権利範囲はこれに限定されるものではなく、本発明の属する技術分野における通常の知識を有する者であれば、本発明の権利範囲内で、本発明の権利範囲に属すると思われる変更や置換を容易に想到することができる。したがって、本発明の実施例の保護範囲は、特許請求の範囲の保護範囲に準ずるべきである。
【図１】
2020532886.tif 000011
【図２】
2020532886.tif 000012
【図３】
2020532886.tif 000013
【図４】
2020532886.tif 000014
【図５】
2020532886.tif 000015
【図６】
2020532886.tif 000016
【図７】
2020532886.tif 000017
【図８】
2020532886.tif 000018
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスにより送信された第１の制御情報を受信することと、
前記端末デバイスが前記端末デバイスの伝送情報及び第１のマッピング関係に基づいて、前記伝送情報に対する少なくとも１つの伝送周波数帯域を確定することと、
前記端末デバイスが前記少なくとも１つの伝送周波数帯域において対象伝送周波数帯域を確定することと、
前記端末デバイスが前記第１の制御情報に基づいて、前記対象伝送周波数帯域において前記ネットワークデバイスとデータ伝送を行うこととを含み、
前記第１の制御情報は、前記端末デバイスが前記データ伝送を行うようにスケジューリングするために用いられ、
前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含む
ことを特徴とするデータ伝送方法。
【請求項２】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記端末デバイスが前記少なくとも１つの伝送周波数帯域において対象伝送周波数帯域を確定することは、
前記端末デバイスが前記対象伝送周波数帯域の周波数帯域情報及び前記第１のマッピング関係に基づいて、前記対象伝送周波数帯域を前記少なくとも１つの伝送周波数帯域のうちの前記周波数帯域情報に対応する伝送周波数帯域として確定することを含む
ことを特徴とする請求項１に記載のデータ伝送方法。
【請求項３】
前記端末デバイスが前記端末デバイスの伝送情報及び第１のマッピング関係に基づいて、前記伝送情報に対する少なくとも１つの伝送周波数帯域を確定する前に、前記方法は、さらに、
前記端末デバイスが前記ネットワークデバイスにより送信された第２の制御情報を受信することを含み、前記第２の制御情報は、前記第１のマッピング関係を含む
ことを特徴とする請求項１又は２に記載のデータ伝送方法。
【請求項４】
前記第１の制御情報は、下り制御情報ＤＣＩ又はメディアアクセス制御要素ＭＡＣ  ＣＥを含む
ことを特徴とする請求項１〜３のいずれか１項に記載のデータ伝送方法。
【請求項５】
前記第２の制御情報は、無線リソース制御ＲＲＣシグナリング又はシステム情報を含む
ことを特徴とする請求項１〜４のいずれか１項に記載のデータ伝送方法。
【請求項６】
前記第１の制御情報はＤＣＩであり、前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項１〜５のいずれか１項に記載のデータ伝送方法。
【請求項７】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項１〜６のいずれか１項に記載のデータ伝送方法。
【請求項８】
ネットワークデバイスにより送信された第１の制御情報を受信するように構成される送受信ユニットと、
前記端末デバイスの伝送情報及び第１のマッピング関係に基づいて、前記伝送情報に対応する少なくとも１つの伝送周波数帯域を確定するように構成される確定ユニットとを含み、
前記第１の制御情報は、前記端末デバイスがデータ伝送を行うようにスケジューリングするために用いられ、
前記第１のマッピング関係は、複数の伝送情報と複数の伝送周波数帯域との対応関係を含み、前記伝送情報は、前記第１の制御情報の属性、前記データ伝送のためのリソースタイプ情報、及び前記端末デバイスの業務情報のうちの少なくとも１つを含み、
前記確定ユニットは、さらに、前記少なくとも１つの伝送周波数帯域から、対象伝送周波数帯域を確定するように構成され、
前記送受信ユニットは、さらに、前記第１の制御情報に基づいて、前記対象伝送周波数帯域において、前記ネットワークデバイスと前記データ伝送を行うように構成される
ことを特徴とする端末デバイス。
【請求項９】
前記第１の制御情報は、前記対象伝送周波数帯域の周波数帯域情報を含み、前記第１のマッピング関係は、さらに、複数の伝送周波数帯域と複数の周波数帯域情報との対応関係を含み、
前記確定ユニットは、
前記対象伝送周波数帯域の周波数帯域情報及び前記第１のマッピング関係に基づいて、前記対象伝送周波数帯域を、前記少なくとも１つの伝送周波数帯域のうちの前記周波数帯域情報に対応する伝送周波数帯域として確定するように構成される
ことを特徴とする請求項８に記載の端末デバイス。
【請求項１０】
前記送受信ユニットは、さらに、
前記ネットワークデバイスにより送信された第２の制御情報を受信するように構成され、
前記第２の制御情報は、前記第１のマッピング関係を含む
ことを特徴とする請求項８又は９に記載の端末デバイス。
【請求項１１】
前記第１の制御情報は、下り制御情報ＤＣＩ又はメディアアクセス制御要素ＭＡＣ  ＣＥを含む
ことを特徴とする請求項８〜１０のいずれか１項に記載の端末デバイス。
【請求項１２】
前記第２の制御情報は、無線リソース制御ＲＲＣシグナリング又はシステム情報を含む
ことを特徴とする請求項８〜１１のいずれか１項に記載の端末デバイス。
【請求項１３】
前記第１の制御情報はＤＣＩであり、
前記第１の制御情報の属性は、
前記ＤＣＩのＤＣＩフォーマット、前記ＤＣＩの大きさ、及び前記ＤＣＩが上りデータ又は下りデータをスケジューリングすることを示す情報のいずれかを含む
ことを特徴とする請求項８〜１２のいずれか１項に記載の端末デバイス。
【請求項１４】
前記リソースタイプ情報は、
前記第１の制御情報が共有リソース又は前記端末デバイスの専有のリソースをスケジューリングすることを示す情報、前記第１の制御情報が連続したリソース又は連続しないリソースをスケジューリングすることを示す情報、及びリソーススケジューリング単位のいずれかを含み、
前記リソーススケジューリング単位は、シンボル、タイムスロット又はサブフレームを含む
ことを特徴とする請求項８〜１３のいずれか１項に記載の端末デバイス。
【請求項１５】
前記端末デバイスの業務情報は、
前記端末デバイスの業務タイプ情報、前記端末デバイスのサービス品質情報及び前記端末デバイスの業務品質情報のうちの少なくとも１つを含む
ことを特徴とする請求項８〜１４のいずれか１項に記載の端末デバイス。
【国際調査報告】
2020532886.tif 000019
2020532886.tif 000020
2020532886.tif 000021
2020532886.tif 000022
2020532886.tif 000023